(57)【要約】【課題】  ワイン冷蔵庫の運転中にそのワイン冷蔵庫に保存されたワイン瓶の揺れを最小化できるワイン冷蔵庫の振動防止装置を提供する。【解決手段】  保存室及び装着空間Rを含む本体１００と、前記本体１００の装着空間Rにワイン冷蔵庫の本体１００と所定間隔を有して位置して本体の装着空間Rと共に機械室を形成するとともに、圧縮機３００が上面に設置されるベースプレート６００と、前記本体１００およびベースプレート６００に結合され且つ前記本体１００とベースプレート６００との間を所定間隔に維持しながら前記ベースプレート６００を弾性的に支持する間隔維持弾性支持手段と、を含んでワイン冷蔵庫の振動防止装置を構成する。【選択図】      図１
2005331228.tif 000002
【特許請求の範囲】
【請求項１】
保存室及び装着空間を含む本体と、
前記本体の装着空間に前記本体と所定間隔を有して位置して前記本体の装着空間と共に機械室を形成するとともに、圧縮機が上面に設置されるベースプレートと、
前記本体およびベースプレートに結合され、前記本体とベースプレートとの間を所定間隔に維持しながら前記ベースプレートを弾性的に支持する間隔維持弾性支持手段と、
を含んで構成されることを特徴とするワイン冷蔵庫の振動防止装置。
【請求項２】
前記間隔維持弾性支持手段は、前記ベースプレートの上側に位置するように前記本体の装着空間の両側内壁にそれぞれ結合される各固定板と、前記固定板およびベースプレートに動き自在に貫通挿入されて前記固定板により支持される第１軸方向支持部材と、前記第１軸方向支持部材と前記固定板との間に位置して前記ベースプレートを弾性的に支持するスプリングと、を含んで構成されることを特徴とする請求項１記載のワイン冷蔵庫の振動防止装置。
【請求項３】
前記第１軸方向支持部材は、前記固定板およびベースプレートに貫通挿入される軸部と、前記軸部の一方の側端に所定面積を有して延長形成されて前記固定板に係止される係止頭部と、前記軸部の他方の側に結合されて前記スプリングを支持する支持ナット部と、から構成されることを特徴とする請求項２記載のワイン冷蔵庫の振動防止装置。
【請求項４】
前記間隔維持弾性支持手段は、前記ベースプレートの下側に位置するように、前記本体の装着空間の両側内壁に結合される各固定板と、前記固定板およびベースプレートに動き自在に貫通挿入されて前記ベースプレートにより支持される第２軸方向支持部材と、前記ベースプレートと固定板との間に位置して前記ベースプレートを弾性的に支持するスプリングと、を含んで構成されることを特徴とする請求項１記載のワイン冷蔵庫の振動防止装置。
【請求項５】
前記第２軸方向支持部材は、前記ベースプレートおよび固定板に貫通挿入される軸部と、前記軸部の一方の側端に所定面積を有して延長形成されてベースプレートにより支持される係止頭部と、前記軸部の他方の側に結合されて前記スプリングを支持する支持ナット部と、から構成されることを特徴とする請求項４記載のワイン冷蔵庫の振動防止装置。
【請求項６】
前記ベースプレートと第２軸方向支持部材との間、および前記固定板と第２軸方向支持部材との間には、振動伝達を吸収するそれぞれの防振ゴムが結合されたことを特徴とする請求項４記載のワイン冷蔵庫の振動防振装置。
【請求項７】
前記ベースプレートの両側端部は、前記固定板の上側に位置するように屈曲されたことを特徴とする請求項４記載のワイン冷蔵庫の振動防止装置。
【請求項８】
前記間隔維持弾性支持手段は、前記本体とベースプレートとを連結する複数個のスプリングを含んで構成されたことを特徴とする請求項１記載のワイン冷蔵庫の振動防止装置。
【請求項９】
前記圧縮機とベースプレートとの間には、スプリング弾性により振動伝達を防止する弾性型防振手段が備わることを特徴とする請求項１記載のワイン冷蔵庫の振動防止装置。
【請求項１０】
前記弾性型防振手段は、圧縮機の装着プレートおよびベースプレートに貫通挿入される第３軸方向支持部材と、前記装着プレートとベースプレートとの間に位置するように、前記第３軸方向支持部材に挿入されて前記装着プレートを弾性的に支持するスプリングと、前記装着プレートとスプリングとの間、およびベースプレートとスプリングとの間に位置してそれぞれの前記スプリングを支持するゴムパッキングと、を含んで構成されることを特徴とする請求項９記載のワイン冷蔵庫の振動防止装置。
【発明の詳細な説明】
【技術分野】
【０００１】
本発明は、ワイン冷蔵庫に関するものであって、詳しくは、ワイン冷蔵庫の運転中、そのワイン冷蔵庫に保存されたワイン瓶の揺れを最小化できるワイン冷蔵庫の振動防止装置に関するものである。
【背景技術】
【０００２】
冷蔵庫は、内部に冷凍サイクルシステムが装着されており、その冷凍サイクルシステムを構成する蒸発器から発生した冷気が冷蔵庫内部を循環することで、その冷蔵庫内部を冷たい状態に維持する。
【０００３】
このような冷蔵庫は、構造的な特徴によって多様な形態に分類されるとともに、冷蔵庫に保管される食品の種類によって多様な形態に開発されている。
【０００４】
最近は、化粧品およびワインなどの物品を変質させずに最適の状態に保管するために、化粧品冷蔵庫及びワイン冷蔵庫が開発されている。
【０００５】
前記ワイン冷蔵庫は、一般的な冷蔵庫と類似しており、ワインが保存される保存室が備わった本体と、該本体の一方の側に装着されてその保存室を開閉するドアと、を含んで構成される。
【０００６】
また、前記本体に冷凍サイクルシステムが備わり、前記冷凍サイクルシステムのうち振動騷音および熱を発生する圧縮機３００および凝縮器は、本体の下部に備わった機械室に装着される。
【０００７】
図５は、従来のワイン冷蔵庫の機械室を示した分解斜視図であり、図６の（ａ）及び（ｂ）は、前記ワイン冷蔵庫の機械室を示した断面図である。
【０００８】
図示したように、前記機械室には、前記本体１００の下部の後側に所定大きさの装着空間Rが形成されており、前記本体１００の下面に所定面積の底プレート１１０が複数個のねじにより締結され、前記本体１００の下部の後面に形成された装着空間Rの後側を覆蓋するカバー２００が複数個のねじ２１０により結合されて構成される。ここで、前記底プレート１１０は、前記本体１００の装着空間Rの下面をカバーする。
【０００９】
また、前記機械室の内部に位置するように前記底プレート１１０に圧縮機３００が設置され、前記機械室の側壁にコントロールボックス４００が装着され、前記圧縮機３００の上側に位置するように前記機械室の内側上面に除霜水受け５００が設置される。前記除霜水受け５００には、蒸発器(図示せず)で溶けた霜により発生した水が溜まって蒸発する。
【００１０】
前記圧縮機３００は、密閉容器３１０と、該密閉容器３１０の底面に結合された複数個の装着プレート３２０と、を含んで構成される。また、前記密閉容器３１０には、冷媒が吸入される吸入管３３０および吐出される吐出管３４０がそれぞれ連結される。ここで、前記吸入管３３０は、前記蒸発器に連結され、前記吐出管３４０は、冷凍サイクルシステムを構成する凝縮器(図示せず)に連結される。
【００１１】
以下、前記圧縮機３００が前記底プレート１１０に設置される構造を説明する。
前記圧縮機３００の装着プレート３２０には、貫通穴３２１が形成され、且つ前記底プレート１１０には、前記各装着プレート３２０の貫通穴３２１に相応する貫通穴１１１が形成される。また、それら底プレート１１０と装着プレート３２０との間には、所定長さを有する円筒状の防振ゴム３６０が位置される。また、前記底プレート１１０の貫通穴１１１、防振ゴム３６０および装着プレート３２０の貫通穴３２１に固定ボルト３７０が貫通挿入され、該固定ボルト３７０にナット３８０が締結されることで、それら装着プレート３２０および防振ゴム３６０が底プレート１１０に固定結合される。
【００１２】
前記本体１００の下面に装着された底プレート１１０の前方端および後方端には、本体１００を支持する前方レッグ１２０および後方レッグ１３０が所定間隔を有して二つ結合される。前記各前方レッグ１２０は、高さ調節が可能であり、前記後方レッグ１３０は、冷蔵庫の移動を容易にするためのローラにより構成される。また、それら前方レッグ１２０および後方レッグ１３０は、冷蔵庫が置かれる底面に接触されて冷蔵庫を支持する。
【００１３】
図中、未説明の符号３５０はドライヤーであって、２２０は空気通孔である。
前記冷蔵庫の運転中、前記圧縮機３００で冷媒を吸入、圧縮および吐出する過程で振動騷音および熱が発生するが、その圧縮機３００から発生した熱は、カバーの空気通孔２２０を通して放出される。また、圧縮機３００から発生した振動は、防振ゴム３６０により多少吸収されるが、その防振ゴム３６０が圧縮機３００の装着プレート３２０および底プレート１１０に直接接触されるので、その防振ゴム３６０を通して底プレート１１０に伝達される。また、前記底プレート１１０が複数個のねじにより本体１００と結合されるので、前記底プレート１１０に伝達される振動が本体１００に直ちに伝達されることで、それら底プレート１１０および本体１００が振動するだけでなく、振動騷音が発生するようになる。
【００１４】
一般に、ワインは、ワイン瓶の中でも熟成が進行されるので、そのワインの固有な味を保存するために、取り扱い及び保管時、格別な注意及び努力を注ぐべきであり、特に、温度、陽光、湿度、揺れ及び水平などに留意すべきである。
【００１５】
ワイン冷蔵庫の開発過程における陽光、湿度及び水平の問題は、比較的簡単に解決されるが、ワイン瓶の適正な温度維持および振動遮断は、非常に難しい問題であって多くの研究が開発されている。
【発明の開示】
【発明が解決しようとする課題】
【００１６】
然るに、従来のワイン冷蔵庫は、前記機械室から発生した振動が本体１００に伝達されるので、その本体１００の保存室に保存された各ワイン瓶が微細に揺れるようになり、そのワインの固有な味が変質するという問題点があった。
【００１７】
本発明は、このような従来の課題に鑑みてなされたもので、ワイン冷蔵庫の運転中、そのワイン冷蔵庫に保存されたワイン瓶の揺れを最小化できるワイン冷蔵庫の振動防止装置を提供することを目的とする。
【課題を解決するための手段】
【００１８】
このような目的を達成するため、本発明に係るワイン冷蔵庫の振動防止装置は、保存室及び装着空間を含む本体と、前記本体の装着空間にその本体と所定間隔を有して位置してその装着空間と共に機械室を形成するとともに、その上面に圧縮機が設置されるベースプレートと、前記本体およびベースプレートに結合され且つ前記本体とベースプレートとの間を所定間隔に維持しながら前記ベースプレートを弾性的に支持する間隔維持弾性支持手段と、を含んで構成されることを特徴とする。
【発明の効果】
【００１９】
本発明のワイン冷蔵庫の振動防止装置は、ワイン冷蔵庫の運転中、機械室に装着された圧縮機などから発生する振動が本体に伝達されることを防止し、その本体の保存室内に保管される各ワイン瓶の揺れを防止することで、ワインの固有な味を維持しながらワインを保管できるという効果がある。
【発明を実施するための最良の形態】
【００２０】
以下、本発明の実施の形態に対し、図面に基づいて説明する。
【００２１】
図１の（ａ）及び（ｂ）は、本発明のワイン冷蔵庫振動防止装置の一実施形態が備わったワイン冷蔵庫の下部を示した断面図である。ここで、従来と同一の部分には、同一の符号で示す。
【００２２】
図示したように、前記ワイン冷蔵庫の振動防止装置は、保存室(図示せず)及び装着空間Rを備えた本体１００と、該本体１００の装着空間Rの下側に前記本体１００と所定間隔を有して位置して前記本体の装着空間Rと共に機械室を形成するとともに、圧縮機３００が上面に設置されるベースプレート６００と、前記本体１００およびベースプレート６００に結合され、且つこれら本体１００とベースプレート６００との間を所定間隔に維持しながら前記ベースプレート６００を弾性的に支持する間隔維持弾性支持手段と、を含んで構成される。
【００２３】
前記本体１００の装着空間Rは、前記本体１００の後面下部および下面後側にかけて所定の大きさに形成される。
【００２４】
前記ベースプレート６００は、所定厚さを有して板状に形成されており、前記本体１００の装着空間Rの下側断面形状に相応して形成され、装着空間Rの下側断面大きさよりも小さく形成される。また、前記ベースプレート６００の両側端部には、複数個の貫通穴６０１が形成される。
【００２５】
また、前記ベースプレート６００の上面に前記圧縮機３００が装着され、それら圧縮機３００とベースプレート６００との間には、スプリングS１の弾性により振動伝達を防止する弾性型防振手段が備わる。
【００２６】
前記ベースプレート６００は、前記本体１００の下方に位置するように前記本体１００の装着空間Rの下部に位置される。また、前記ベースプレート６００の各辺は、前記装着空間Rの内壁と所定間隔を維持する。
【００２７】
前記間隔維持弾性支持手段は、前記ベースプレート６００の両端上側に位置するように前記本体１００の装着空間Rの両側内壁にそれぞれ結合される固定板６１０と、前記固定板６１０およびベースプレート６００に動き自在にすなわち揺動可能に貫通挿入されてその固定板６１０により支持される第１軸方向支持部材６２０と、それら第１軸方向支持部材６２０と固定板６１０との間に位置して前記ベースプレート６００を弾支すなわち弾性的に支持するスプリングS１と、を含んで構成される。
【００２８】
前記固定板６１０は、所定幅および長さを有して矩形状に形成され、その内側中央部に複数個の貫通穴６１１が形成される。また、前記固定板６１０は、前記本体１００の装着空間Rの両側壁に結合され、その固定板６１０の長さ方向が本体１００の前後方向に向かうとともにその側壁に垂直方向に結合される。また、前記固定板６１０は、本体１００の下面から所定高さだけ上側に位置される。
【００２９】
ここで、前記固定板６１０は、前記本体１００の装着空間Rの内壁から延長突出されて本体１００と一体に形成される。
【００３０】
また、前記固定板６１０は、本体１００の両側壁にそれぞれ二つずつ結合される。また、各固定板に一つの貫通穴６１１が形成される。
【００３１】
前記第１軸方向支持部材６２０は、所定長さを有する軸部６２１と、該軸部６２１の一方の側端に所定面積を有して延長形成される係止頭部６２２と、前記軸部６２１の他方の側に結合される支持ナット部６２３と、から構成される。
【００３２】
また、前記第１軸方向支持部材６２０は、前記ベースプレート６００が各固定板６１０の間に所定間隔を有して位置した状態で、前記ベースプレートの貫通穴６０１および固定板の貫通穴６１１に貫通挿入される。前記係止頭部６２２は、前記固定板６１０の上面により支持される。
【００３３】
また、前記軸部６２１に前記スプリングS１が挿入され、前記軸部６２１に支持ナット部６２３が結合されることで、前記スプリングS１が支持される。ここで、前記スプリングS１は、圧縮スプリングであり、そのスプリングS１の一方の側は前記ベースプレート６００の下面に接触され、他方の側は前記支持ナット部６２３の上面により支持される。一方、前記支持ナット部６２３とスプリングSとの間にワッシャ６２４が結合され、該ワッシャ６２４によりスプリングS１を支持することが好ましい。
【００３４】
前記ベースプレート６００は、前記第１軸方向支持部材６２０に案内されるとともに、前記スプリングS１により弾性的に支持され、前記スプリングS１は、ベースプレート６００の荷重によりやや圧縮される。
【００３５】
前記のような間隔維持弾性支持手段は、前記ベースプレート６００から振動が発生すると、そのベースプレート６００が前記スプリングS１により弾性的に支持された状態で振動するため、そのベースプレート６００から発生する振動がスプリングS１により吸収されることで、その振動が本体１００に伝達されることを防止する。
【００３６】
一方、前記間隔維持弾性支持手段の他の実施形態は、図２の（ａ）及び（ｂ）に示すように、前記ベースプレート６００の両端下側に位置するように前記本体１００の装着空間Rの両側内壁にそれぞれ結合される固定板６１０と、それら固定板６１０およびベースプレート６００に動き自在に貫通挿入されてそのベースプレート６００により支持される第２軸方向支持部材６３０と、それらベースプレート６００と固定板６１０との間に位置して前記ベースプレート６００を弾性的に支持するスプリングS２と、を含んで構成される。
【００３７】
前記固定板６１０は、所定幅および長さを有して矩形状に形成され、その内部に複数個の貫通穴６１１が形成される。また、前記固定板６１０は、前記本体１００の装着空間Rの両側壁に結合され、その固定板６１０の長さ方向が本体１００の前後方向に向かうとともにその側壁に垂直方向に結合される。よって、前記固定板６１０の下面は、本体１００の下面と同一平面上に位置される。
【００３８】
前記ベースプレート６００が前記固定板６１０よりも上に位置するように、前記ベースプレート６００の両側端の一部分が屈曲形成される。前記ベースプレート６００の屈曲部分は、前記固定板６１０と所定間隔を有してその固定板６１０上に位置される。
【００３９】
ここで、前記固定板６１０は、前記本体１００の装着空間Rの内壁から延長突出されてその本体１００と一体に形成される。
【００４０】
また、前記固定板６１０は、本体１００の両側壁にそれぞれ二つずつ結合される。また、それら各固定板には、一つの貫通穴６１１が形成される。
【００４１】
前記第２軸方向支持部材６３０は、所定長さを有する軸部６３１と、該軸部６３１の一方の側の端部に所定面積を有して延長形成される係止頭部６３２と、前記軸部６３１の他方の側に螺合される支持ナット部６３３と、から構成される。
【００４２】
前記第２軸方向支持部材６３０は、前記ベースプレート６００と各固定板６１０との間が所定間隔を有して位置した状態で、前記ベースプレートの貫通穴６０１および固定板の貫通穴６１１に貫通挿入される。前記係止頭部６３２は、前記ベースプレート６００の上面により支持される。
【００４３】
前記スプリングS２は、前記軸部６３１に挿入された状態で前記ベースプレート６００と固定板６１０との間に配置される。ここで、前記スプリングS２は、圧縮スプリングS２であり、そのスプリングS２の一方の側は前記ベースプレート６００の下面に接触され、且つ他方の側は前記固定板６１０の上面により支持される。
【００４４】
また、前記ベースプレート６００と第２軸方向支持部材６３０との間には、振動伝達を吸収する防振ゴム６４０が嵌合され、それら固定板６１０と第２軸方向支持部材６３０との間には、振動伝達を吸収する防振ゴム６４０が嵌合されることが好ましい。
【００４５】
また、前記防振ゴム６４０は、所定長さを有する円筒状の円筒部６４１と、該円筒部６４１の両端に水平方向に延長形成されるフランジ部６４２と、から構成される。
【００４６】
また、前記防振ゴム６４０は、ベースプレートの貫通穴６０１の内周面と前記第２軸方向支持部材の軸部６３１の外周面との間に位置され、この防振ゴム６４０の両側フランジ部６４２には、前記スプリングS２および係止頭部６３２が接触支持される。
【００４７】
さらに、前記防振ゴム６４０は、前記固定板の貫通穴６１１の内周面と前記第２軸方向支持部材の軸部６３１の外周面との間に配置され、且つその防振ゴム６４０の一方の側のフランジ部６４２にスプリングS２が接触支持される。
【００４８】
前記のような間隔維持弾性支持手段は、前記ベースプレート６００から振動が発生すると、そのベースプレート６００が前記スプリングS２により弾性的に支持された状態で振動するので、そのベースプレート６００から発生する振動がスプリングS２により吸収されることで、その振動が本体１００に伝達されることを防止する。
【００４９】
特に、前記第２軸方向支持部材６３０とベースプレート６００との間、および前記第２軸方向支持部材６３０と固定板６１０との間に防振ゴム６４０がそれぞれ嵌合されるので、振動吸収が一層効果的に行われる。
【００５０】
一方、前記間隔維持弾性支持手段の別の実施形態は、図３の（ａ）及び（ｂ）に示すように、前記本体１００とベースプレート６００とを連結する複数個のスプリングS３により構成される。ここで、前記スプリングS３は、引張スプリングである。
【００５１】
前記本体１００の装着空間Rの両側内壁には、複数個の係止部１４０がそれぞれ備わり、前記ベースプレート６００の両側端部には、複数個の係止部６０２がそれぞれ備わる。前記本体１００の係止部１４０およびベースプレート６００の係止部６０２は、同一個数にそれぞれ形成される。
【００５２】
前記本体の係止部１４０およびベースプレートの係止部６０２には、前記引張スプリングが連結される。即ち、前記引張スプリングの一方の側が前記本体の係止部１４０に係止され、その引張スプリングの他方の側がベースプレートの係止部６０２に係止される。よって、前記ベースプレート６００は、前記引張スプリングである各スプリングS３により前記本体１００の装着空間R内に懸架される。
【００５３】
ここで、前記本体の係止部１４０およびベースプレートの係止部６０２は、４個にそれぞれ構成され、前記引張スプリングは、４個に構成されることが好ましい。
【００５４】
前記のような間隔維持弾性支持手段は、前記ベースプレート６００から振動が発生すると、そのベースプレート６００が前記スプリングS３により弾性的に支持された状態で振動するので、そのベースプレート６００から発生する振動がスプリングS３により吸収されることで、その振動が本体１００に伝達されることを防止する。
【００５５】
一方、前記圧縮機３００とベースプレート６００との間に備わる弾性型防振手段は、四つの部分に備わる。前記弾性型防振手段は、図４に示すように、前記圧縮機３００の装着プレート３２０およびベースプレート６００に貫通挿入される第３軸方向支持部材６５０と、それら装着プレート３２０とベースプレート６００との間に位置するように前記第３軸方向支持部材６５０に挿入されるスプリングS４と、それら装着プレート３２０とスプリングS４との間、およびベースプレート６００とスプリングS４との間にそれぞれ位置してそのスプリングS４を軸方向に支持する各ゴムパッキング６６０と、を含んで構成される。
【００５６】
前記装着プレート３２０は、圧縮機３００を構成する密閉容器３１０の底面に四つ結合され、その装着プレート３２０に貫通穴３２１がそれぞれ形成される。前記各装着プレート３２０の貫通穴３２１に対面するベースプレート６００には、各貫通穴６０３がそれぞれ形成される。
【００５７】
前記第３軸方向支持部材６５０は、所定長さを有して形成された軸部６５１と、該軸部６５１の一方の側端に所定面積を有して延長形成される係止頭部６５２と、前記軸部６５１の他方の側に螺合される支持ナット部６５３と、から構成される。
【００５８】
前記第３軸方向支持部材６５０は、その軸部６５１がベースプレート６００の貫通穴６０３および装着プレート３２０の貫通穴３２１に貫通挿入され、その係止頭部６５２が前記ベースプレート６００の下面により支持される。ここで、前記スプリングS４は、圧縮スプリングであり、前記軸部６５１に挿入された状態で前記ベースプレート６００の上面と装着プレート３２０の下面との間に位置される。
【００５９】
前記各ゴムパッキング６６０は、内部に貫通穴が形成され、前記軸部６５１にそれぞれ挿入された状態で前記スプリングS４と装着プレート３２０との間、およびスプリングS４とベースプレート６００との間に位置される。
【００６０】
また、前記支持ナット部６５３と装着プレート３２０との間には、ゴムパッキング６６０が結合され、それら支持ナット部６５３とゴムパッキング６６０との間には、ワッシャ６５４が挿入されることが好ましい。
【００６１】
前記のような弾性型防振手段は、前記圧縮機３００で冷媒を圧縮する過程で振動が発生すると、その圧縮機３００の装着プレート３２０がゴムパッキング６６０及びスプリングS４により弾支された状態で振動するので、その圧縮機３００から発生する振動がスプリングS４により吸収されることで、その振動がベースプレート６００に伝達されることを最小化する。
【００６２】
前記圧縮機３００の上側に位置するように前記本体１００の装着空間Rの内側上面に除霜水受け５００が設置され、前記本体１００の装着空間Rの側壁にコントロールボックス４００が装着される。
【００６３】
前記本体１００の後面には、カバー(図示せず)が結合されてその装着空間Rを覆蓋する。
【００６４】
また、前記本体１００の下面の前方端および後方端に前方レッグ１２０および後方レッグ(図示せず)がそれぞれ装着される。前記各後方レッグは、前記ベースプレート６００に装着され、これら前方レッグ１２０および後方レッグは、室内などの底面に接触されて本体１００を支持する。
【００６５】
図中、未説明の符号３１０は密閉容器で、３３０は吸入管で、３４０は吐出管で、３５０はドライヤーである。
【００６６】
以下、本発明のワイン冷蔵庫の振動防止装置の作用効果を説明する。
まず、ワイン冷蔵庫の保存室にワイン瓶が保管された状態でワイン冷蔵庫が運転されると、冷凍サイクルシステムを構成する蒸発器から冷気を発生するが、その冷気により保存室が適正な温度を維持する。また、機械室に位置した圧縮機３００が冷媒を吸入、圧縮および吐出する過程で振動が発生する。
【００６７】
前記圧縮機３００から発生する振動が機械室の下面を構成するベースプレート６００に伝達されるが、該ベースプレート６００に伝達される振動が間隔維持弾性支持手段により吸収されることで、その振動が本体１００に伝達されることを最小化する。
【００６８】
また、前記圧縮機３００とベースプレート６００との間に弾性型防振手段が備わった場合、前記圧縮機３００から発生する振動は、前記弾性型防振手段により１次的に吸収された状態でベースプレート６００に伝達されるので、前記圧縮機３００から発生する振動が本体１００に伝達されることを一層最小化する。
【００６９】
一方、前記機械室内に前記圧縮機３００を冷却する送風ファンなどが前記ベースプレート６００に設置される場合、その送風ファンから発生する振動が本体１００に伝達されることを防止する。
【図面の簡単な説明】
【００７０】
【図１】図１の（ａ）は、本発明のワイン冷蔵庫振動防止装置の一実施形態が備わったワイン冷蔵庫の下部を示した断面図であり、図１の（ｂ）は、図１の（ａ）の一部拡大図である。
【図２】図２の（ａ）は、本発明のワイン冷蔵庫振動防止装置を構成する間隔維持弾性支持手段の１つの実施形態を示した断面図であり、図２の（ｂ）は、図の（ａ）の一部拡大図である。
【図３】図３の（ａ）は、本発明のワイン冷蔵庫振動防止装置を構成する間隔維持弾性支持手段のさらに別の実施形態を示した断面図であり、図３の（ｂ）は、図３の（ａ）の一部拡大図である。
【図４】本発明のワイン冷蔵庫振動防止装置を構成する弾性型防振手段を示した断面図である。
【図５】従来のワイン冷蔵庫の機械室を示した分解斜視図である。
【図６】図６の（ａ）は、従来のワイン冷蔵庫の機械室を示した断面図であり、図６の（ｂ）は、図６の（ａ）の一部拡大図である。
【符号の説明】
【００７１】
１００    本体
３００    圧縮機
６００    ベースプレート
６１０    固定板
６２０、６３０、６５０    第１、２、３軸方向支持部材
６２１、６３１、６５１    軸部
６２２、６３２、６５２    係止頭部
６２３、６３３、６５３    支持ナット部
６４０    防振ゴム
６６０    ゴムパッキング
S１、S２、S３    スプリング
【図１】
2005331228.tif 000003
【図２】
2005331228.tif 000004
【図３】
2005331228.tif 000005
【図４】
2005331228.tif 000006
【図５】
2005331228.tif 000007
【図６】
2005331228.tif 000008